(57)【要約】【課題】本発明は、上記問題に鑑みてなされたものであり、本発明の目的とするところは、インターフェースを介して外部機器から外部機器情報及び外部機器機能情報を受信し、映像機器の映像機器情報及び映像機器機能情報を外部機器に送信する映像機器、及びこれに適用される映像機器制御方法を提供することにある。【解決手段】映像機器及びこれに適用される映像機器の制御方法が提供される。本映像機器は、インターフェースを介して外部機器から外部機器情報及び外部機器機能情報を受信し、映像機器の映像機器情報及び映像機器機能情報を外部機器に送信する。これにより、映像機器は外部機器がサポートする機能を確認することができるようになる。【選択図】図４
2010114895.tif 000002
【特許請求の範囲】
【請求項１】
外部機器と接続可能な映像機器において、
前記外部機器と接続可能なインターフェースと、
前記映像機器の映像機器情報及び映像機器機能情報を前記外部機器に送信し、前記外部機器の外部機器情報及び外部機器機能情報を前記外部機器から受信する制御部とを具備し、
前記映像機器機能情報は、前記映像機器が特定機能をサポートするか否かに対する情報を含み、
前記外部機器機能情報は、前記外部機器が特定機能をサポートするか否かに対する情報を含み、
前記制御部は、前記外部機器と前記映像機器が前記特定機能をサポートする場合、前記特定機能を実行することを特徴とする映像機器。
【請求項２】
前記特定機能は、映像の画質モードに関連する機能を具備することを特徴とする請求項１に記載の映像機器。
【請求項３】
前記特定機能は、前記映像機器が前記外部機器から映像の画質モードが調整されていないデータを受信して、前記映像機器において映像の画質モードを調整するように実行する機能であることを特徴とする請求項１に記載の映像機器。
【請求項４】
前記画質モードは、解像度、Ｓｈａｒｐｎｅｓｓ、Ｂｒｉｇｈｔｎｅｓｓ、Ｎｏｉｓｅ  Ｒｅｄｕｃｔｉｏｎ、Ｈｕｅ、Ｓａｔｕｒａｔｉｏｎのうち少なくともいずれか一つを調節するためのモードであることを特徴とする請求項２に記載の映像機器。
【請求項５】
前記インターフェースは、ＨＤＭＩ（Ｈｉｇｈ  Ｄｅｆｉｎｉｔｉｏｎ  Ｍｕｌｔｉｍｅｄｉａ  Ｉｎｔｅｒｆａｃｅ）規格のインターフェースであることを特徴とする請求項１に記載の映像機器。
【請求項６】
前記外部機器情報は、ＳＰＤ（Ｓｏｕｒｃｅ  Ｐｒｏｄｕｃｔ  Ｄｅｓｃｒｉｐｔｉｏｎ）ＩｎｆｏＦｒａｍｅのフォーマットで受信され、
前記外部機器機能情報は、前記ＳＰＤ  ＩｎｆｏＦｒａｍｅに含まれた少なくとも一つのデータバイト（ｄａｔａ  ｂｙｔｅ）に収録されて受信されることを特徴とする請求項１に記載の映像機器。
【請求項７】
前記制御部は、前記映像機器情報をＥＤＩＤ（Ｅｎｈａｎｃｅｄ  Ｄｉｓｐｌａｙ  Ｉｄｅｎｔｉｆｉｃａｔｉｏｎ  Ｄａｔａ）のフォーマットで前記外部機器に送信し、前記映像機器機能情報を前記ＥＤＩＤに含まれた少なくとも一つのバイト（ｂｙｔｅ）に収録して共に送信することを特徴とする請求項１に記載の映像機器。
【請求項８】
インターフェースを介して外部機器と接続可能な映像機器の制御方法において、
前記映像機器の映像機器情報及び映像機器機能情報を前記外部機器に送信するステップと、
前記外部機器の外部機器情報及び外部機器機能情報を前記外部機器から受信するステップと、
前記映像機器と前記外部機器が前記特定機能をサポートする場合、前記特定機能を実行するステップとを具備し、
前記映像機器機能情報は、前記映像機器が前記特定機能をサポートするか否かに対する情報を含み、
前記外部機器機能情報は、前記外部機器が前記特定機能をサポートするか否かに対する情報を含むことを特徴とする映像機器の制御方法。
【請求項９】
前記特定機能は、映像の画質モードに関連する機能を具備することを特徴とする請求項８に記載の映像機器の制御方法。
【請求項１０】
前記特定機能を実行するステップは、前記外部機器から映像の画質モードが調整されていないデータを受信して、前記映像機器において映像の画質モードを調整する機能を実行することを特徴とする請求項８に記載の映像機器の制御方法。
【請求項１１】
前記画質モードは、解像度、Ｓｈａｒｐｎｅｓｓ、Ｂｒｉｇｈｔｎｅｓｓ、Ｎｏｉｓｅ  Ｒｅｄｕｃｔｉｏｎ、Ｈｕｅ、Ｓａｔｕｒａｔｉｏｎのうち少なくともいずれか一つを調節するためのモードであることを特徴とする請求項９に記載の映像機器の制御方法。
【請求項１２】
前記受信ステップは、前記インターフェースの映像信号チャネルを介して、前記外部機器情報及び前記外部機器機能情報を受信し、
前記送信ステップは、前記インターフェースのデータチャネルを介して、前記映像機器情報及び前記映像機器機能情報を前記外部機器に送信することを特徴とする請求項８に記載の映像機器の制御方法。
【請求項１３】
前記インターフェースは、ＨＤＭＩ（Ｈｉｇｈ  Ｄｅｆｉｎｉｔｉｏｎ  Ｍｕｌｔｉｍｅｄｉａ  Ｉｎｔｅｒｆａｃｅ）規格のインターフェースであることを特徴とする請求項１２に記載の映像機器の制御方法。
【請求項１４】
前記映像信号チャネルは、前記ＨＤＭＩインターフェースのＴＭＤＳ（Ｔｒａｎｓｉｔｉｏｎ  Ｍｉｎｉｍｉｚｅｄ  Ｄｉｆｆｅｒｅｎｔｉａｌ  Ｓｉｇｎａｌｉｎｇ）信号チャネルであり、
前記データチャネルは、前記ＨＤＭＩインターフェースのＤＤＣ（Ｄｉｓｐｌａｙ  Ｄａｔａ  Ｃｈａｎｎｅｌ）であることを特徴とする請求項１２に記載の映像機器の制御方法。
【請求項１５】
外部機器と接続可能な映像機器の制御方法を行うためのコンピュータプログラムが収録されたコンピュータで読み取り可能な記録媒体において、
前記外部機器の第１機器情報及び第１機能情報を前記外部機器から受信するステップと、
前記第１機器情報及び第１機能情報を前記映像機器の第２機器情報及び第２機能情報と比較するステップと、
前記第１機能情報と前記第２機能情報が特定機能をサポートする場合、前記特定機能を実行するための信号を前記映像機器に伝送するステップと
を具備する映像機器の制御方法を行うためのコンピュータプログラムが収録されたコンピュータで読み取り可能な記録媒体。
【発明の詳細な説明】
【技術分野】
【０００１】
本発明は、映像機器及びこれに適用される映像機器の制御方法に関し、より詳細には、双方向通信が可能なＡ/Ｖインターフェースを用いて機能を制御する映像機器、及びこれに適用される映像機器の制御方法に関する。
【背景技術】
【０００２】
映像機器に関する技術が発展することにより、ＴＶとＴＶに接続されるＡＶ機器の機能が多様化している。特に、ＴＶは画面のサイズが多様化、大型化されており、コンテンツが映画であるか放送プログラムであるかによって互いに異なる画質モードをサポートすることができるようになった。
【０００３】
このように、ＴＶの機能が多様化し、ＴＶに接続されるＡＶ機器の性能が向上することにより、ユーザはＴＶを利用してより高画質、高品質の映像を視聴することができるようになった。また、ユーザは自宅で映画を見ているような感じがするホームシアターシステムを使用することもできるようになった。
【０００４】
しかし、ＴＶ及びＴＶに接続されるＡＶ機器の機能が多様化することにより、ユーザはそれぞれの機器がどのような機能をサポートしているかを把握しにくくなった。また、ユーザはＴＶとＡＶ機器間で画質を最適化する機能がどのようなものであるかを把握しにくくなった。
【０００５】
ユーザはより良い画質の映像を視聴することを希望する。従って、ＴＶと外部ＡＶ機器が自動で機能を設定するための方案を模索することが求められている。
【先行技術文献】
【特許文献】
【０００６】
【特許文献１】特開２００７−１５０８５３号公報
【特許文献２】米国特許出願開第２００６−０３１８９５号明細書
【特許文献３】韓国特許出願開第２００６−０１３０３５号明細書
【発明の概要】
【発明が解決しようとする課題】
【０００７】
そこで、本発明は、上記問題に鑑みてなされたものであり、本発明の目的とするところは、インターフェースを介して外部機器から外部機器情報及び外部機器機能情報を受信し、映像機器の映像機器情報及び映像機器機能情報を外部機器に送信する映像機器、及びこれに適用される映像機器の制御方法を提供することにある。
【０００８】
また、本発明の別の目的は、映像機器の映像機器情報及び映像機器機能情報をインターフェースの映像信号チャネルを介して前記外部機器に送信し、外部機器の外部機器情報及び外部機器機能情報をインターフェースのデータチャネルを介して外部機器から受信する映像機器、及びこれに適用される映像機器の制御方法を提供することにある。
【課題を解決するための手段】
【０００９】
上記課題を解決するために、本発明の一実施形態にかかる外部機器と接続可能な映像機器は、前記外部機器と接続可能なインターフェースと、前記映像機器の映像機器情報及び映像機器機能情報を前記外部機器に送信し、前記外部機器の外部機器情報及び外部機器機能情報を前記外部機器から受信する制御部とを具備し、前記映像機器機能情報は、前記映像機器が特定機能をサポートするか否かに対する情報を含み、前記外部機器機能情報は、前記外部機器が特定機能をサポートするか否かに対する情報を含み、前記制御部は、前記外部機器と前記映像機器が前記特定機能をサポートする場合、前記特定機能を実行する。
【００１０】
そして、前記特定機能は、映像の画質モードに関連する機能を具備してもよい。
【００１１】
また、前記特定機能は、前記映像機器が前記外部機器から映像の画質モードが調整されていないデータを受信して、前記映像機器において映像の画質モードを調整するように実行する機能であってもよい。
【００１２】
そして、前記画質モードは、解像度、Ｓｈａｒｐｎｅｓｓ、Ｂｒｉｇｈｔｎｅｓｓ、Ｎｏｉｓｅ  Ｒｅｄｕｃｔｉｏｎ、Ｈｕｅ、Ｓａｔｕｒａｔｉｏｎのうち少なくともいずれか一つを調節するためのモードであってもよい。
【００１３】
また、前記インターフェースは、ＨＤＭＩ（Ｈｉｇｈ  Ｄｅｆｉｎｉｔｉｏｎ  Ｍｕｌｔｉｍｅｄｉａ  Ｉｎｔｅｒｆａｃｅ）規格のインターフェースであってもよい。
【００１４】
そして、前記外部機器情報は、ＳＰＤ（Ｓｏｕｒｃｅ  Ｐｒｏｄｕｃｔ  Ｄｅｓｃｒｉｐｔｉｏｎ）ＩｎｆｏＦｒａｍｅのフォーマットで受信され、前記外部機器機能情報は、前記ＳＰＤ  ＩｎｆｏＦｒａｍｅに含まれた少なくとも一つのデータバイト（ｄａｔａ  ｂｙｔｅ）に収録されて受信されてもよい。
【００１５】
また、前記制御部は、前記映像機器情報をＥＤＩＤ（Ｅｎｈａｎｃｅｄ  Ｄｉｓｐｌａｙ  Ｉｄｅｎｔｉｆｉｃａｔｉｏｎ  Ｄａｔａ）のフォーマットで前記外部機器に送信し、前記映像機器機能情報を前記ＥＤＩＤに含まれた少なくとも一つのバイト（ｂｙｔｅ）に収録して共に送信してもよい。
【００１６】
一方、本発明の一実施形態にかかるインターフェースを介して外部機器と接続可能な映像機器の制御方法は、前記映像機器の映像機器情報及び映像機器機能情報を前記外部機器に送信するステップと、前記外部機器の外部機器情報及び外部機器機能情報を前記外部機器から受信するステップと、前記映像機器と前記外部機器が前記特定機能をサポートする場合、前記特定機能を実行するステップとを具備し、前記映像機器機能情報は、前記映像機器が前記特定機能をサポートするか否かに対する情報を含み、前記外部機器機能情報は、前記外部機器が前記特定機能をサポートするか否かに対する情報を含む。
【００１７】
そして、前記特定機能は、映像の画質モードに関連する機能を具備してもよい。
【００１８】
また、前記特定機能を実行するステップは、前記外部機器から映像の画質モードが調整されていないデータを受信して、前記映像機器において映像の画質モードを調整する機能を実行してもよい。
【００１９】
そして、前記画質モードは、解像度、Ｓｈａｒｐｎｅｓｓ、Ｂｒｉｇｈｔｎｅｓｓ、Ｎｏｉｓｅ  Ｒｅｄｕｃｔｉｏｎ、Ｈｕｅ、Ｓａｔｕｒａｔｉｏｎのうち少なくともいずれか一つを調節するためのモードであってもよい。
【００２０】
また、前記受信ステップは、前記インターフェースの映像信号チャネルを介して、前記外部機器情報及び前記外部機器機能情報を受信し、前記送信ステップは、前記インターフェースのデータチャネルを介して、前記映像機器情報及び前記映像機器機能情報を前記外部機器に送信してもよい。
【００２１】
そして、前記インターフェースは、ＨＤＭＩ（Ｈｉｇｈ  Ｄｅｆｉｎｉｔｉｏｎ  Ｍｕｌｔｉｍｅｄｉａ  Ｉｎｔｅｒｆａｃｅ）規格のインターフェースであってもよい。
【００２２】
また、前記映像信号チャネルは、前記ＨＤＭＩインターフェースのＴＭＤＳ（Ｔｒａｎｓｉｔｉｏｎ  Ｍｉｎｉｍｉｚｅｄ  Ｄｉｆｆｅｒｅｎｔｉａｌ  Ｓｉｇｎａｌｉｎｇ）信号チャネルであり、前記データチャネルは、前記ＨＤＭＩインターフェースのＤＤＣ（Ｄｉｓｐｌａｙ  Ｄａｔａ  Ｃｈａｎｎｅｌ）であってもよい。
【００２３】
一方、本発明の一実施形態にかかる外部機器と接続可能な映像機器の制御方法を行うためのコンピュータプログラムが収録されたコンピュータで読み取り可能な記録媒体は、前記外部機器の第１機器情報及び第１機能情報を前記外部機器から受信するステップと、前記第１機器情報及び第１機能情報を前記映像機器の第２機器情報及び第２機能情報と比較するステップと、前記第１機能情報と前記第２機能情報が特定機能をサポートする場合、前記特定機能を実行するための信号を前記映像機器に伝送するステップとを具備する映像機器の制御方法を行うためのコンピュータプログラムが収録される。
【発明の効果】
【００２４】
以上説明したように本発明によれば、インターフェースを介して外部機器から外部機器情報及び外部機器機能情報を受信し、映像機器の映像機器情報及び映像機器機能情報を外部機器に送信する映像機器及びこれに適用される映像機器の制御方法を提供することができるようになり、映像機器は外部機器がサポートする機能を確認することができるようになる。
【００２５】
特に、映像機器は外部機器が特定機能をサポートするか否かを判断して特定機能を行うか否かを決定するため、映像機器は外部機器に相応しい最適の画質モード機能を行うことができるようになる。
【図面の簡単な説明】
【００２６】
【図１】本発明の一実施形態にかかる映像システムを示す図である。
【図２】本発明の一実施形態にかかるＴＶの詳細な構造を示すブロック図である。
【図３】本発明の一実施形態にかかるＤＶＤプレーヤーの構造を示すブロック図である。
【図４】本発明の一実施形態にかかる映像機器の制御方法を説明するために提供されるフローチャートである。
【図５】本発明の一実施形態にかかるＨＤＭＩインターフェースのチャネルを詳細に示す図である。
【図６】本発明の一実施形態にかかるＳＰＤ  ＩｎｆｏＦｒａｍｅのデータバイトに対応する情報を詳細に示すテーブルである。
【図７】本発明の一実施形態にかかるＤＶＤプレーヤーの機能情報が収録されたＳＰＤ  ＩｎｆｏＦｒａｍｅの例を示す図である。
【図８】本発明の一実施形態にかかるＥＤＩＤのバイトに対応する情報を詳細に示すテーブルである。
【図９】本発明の一実施形態にかかるＴＶの機能情報が収録されたＥＤＩＤの一例を示す図である。
【図１０】本発明の一実施形態にかかるＴＶとＢＤプレーヤーのＢＤ  ｗｉｓｅ画質モードがオン状態であるかオフ状態であるかに応じてＢＤ  ｗｉｓｅ画質モードが実行されるか否かが整理されたテーブルである。
【図１１】本発明の別の実施形態にかかる映像システムを示す図である。
【発明を実施するための形態】
【００２７】
以下に添付図面を参照しながら、本発明の好適な実施の形態について詳細に説明する。なお、本明細書及び図面において、実質的に同一の機能構成を有する構成要素については、同一の符号を付することにより重複説明を省略する。
【００２８】
図１は本発明の一実施形態にかかる映像システムを示す図である。図１に示されるように、映像システムはＴＶ２００とＢＤ（Ｂｌｕｅ-ｒａｙ  Ｄｉｓｃ）プレーヤー３００のようなデータ保存及び再生装置とが双方向通信が可能なインターフェースを介して接続されている形態で構築される。たとえ、図１においてデータ保存及び再生装置としてＢＤプレーヤー３００が示されているが、これは一例に過ぎずこれに限定されない。
【００２９】
ここで、ＴＶ２００とＢＤプレーヤー３００とを接続するインターフェースは、ＨＤＭＩ（Ｈｉｇｈ  Ｄｅｆｉｎｉｔｉｏｎ  Ｍｕｌｔｉｍｅｄｉａ  Ｉｎｔｅｒｆａｃｅ）規格のインターフェースであってもよい。ＨＤＭＩは、双方向通信が可能なチャネルが含まれているからである。しかし、インターフェースはそれ以外にも双方向通信が可能なＡ/Ｖインターフェースであれば、いずれのものでも適用できることは勿論のことである。
【００３０】
ＢＤプレーヤー３００は、ＢＤに記録された映像及び音声信号を読み取ってＴＶ２００に伝送する。このように映像及び音声信号を提供する装置を、ＨＤＭＩ標準ではソース（ｓｏｕｒｃｅ）装置と呼ぶ。
【００３１】
また、ＢＤプレーヤー３００は、自分の機器情報（たとえば、製造社名、モデル名など）及び機能情報（たとえば、特定画質モードの機能をサポートしているか否かなど）を、ＴＶ２００に映像受信チャネルを介して周期的に送信する。これは、ＢＤプレーヤー３００がＴＶ２００に、自分に関する情報及び特定機能をサポートするか否かに関する情報を知らせるためのことである。
【００３２】
ここで、特定機能は、映像の画質モードに関連する機能又は映像ソースの種類に関連する機能のうち少なくとも一つを含む。映像の画質モードに関連する機能としては、画面比率調節、明るさ調節、スケーリングに関する機能などが例として挙げられる。そして、映像ソースに関連する機能としては、映画モード、ニュースモード、ドラマモードなどの機能を例として挙げられる。
【００３３】
ＴＶ２００はＢＤプレーヤー３００から映像信号及び音声信号を受信して画面に表示する。このように、映像信号及び音声信号を受信して画面に表示する機能をする装置をＨＤＭＩ標準ではシンク（ｓｉｎｋ）装置と呼ぶ。
【００３４】
また、ＴＶ２００は、自分の機器情報（たとえば、製造社名、モデル名など）及び機能情報（たとえば、特定画質モードの機能をサポートしているか否かなど）をＢＤプレーヤー３００にデータチャネルを介して周期的に送信する。これは、ＴＶ２００がＢＤプレーヤー３００に自分に関する情報及び特定機能をサポートするか否かに関する情報を知らせるためのことである。
【００３５】
このように、ＴＶ２００とＢＤプレーヤー３００は各々自分の機器情報及び機能情報を送受信することにより、互いに画質を最適化できる機能をサポートしているか否かを確認することができるようになる。特に、ＴＶ２００とＢＤプレーヤー３００は、各々受信した相手機器の機能情報に基づいて特定機能をサポートするか否かを判断することができるようになり、両機器に合う最適の機能を実行することができるようになる。
【００３６】
以下では、図２を参照してＴＶ２００の構造について詳細に説明する。図２に示すように、ＴＶ２００は、放送受信部２１０、Ａ/Ｖ処理部２２０、音声出力部２３０、ディスプレイ部２４０、保存部２５０、ＨＤＭＩインターフェース受信端子２６０、制御部２７０、リモコン受信部２８０を具備する。
【００３７】
放送受信部２１０は、放送局又は衛星から、有線又は無線で放送を受信して復調する。
【００３８】
Ａ/Ｖ処理部２２０は、放送受信部２１０及び制御部２７０から入力される映像信号及び音声信号に対してビデオデコーディング、ビデオスケーリング、オーディオデコーディング等の信号処理を行う。そして、Ａ/Ｖ処理部２２０は、映像信号をディスプレイ部２４０に出力し、音声信号を音声出力部２３０に出力する。
【００３９】
音声出力部２３０は、Ａ/Ｖ処理部２２０から出力される音声をスピーカを介して出力させる。
【００４０】
ディスプレイ部２４０は、Ａ/Ｖ処理部２２０から出力される映像をディスプレイする。特に、ディスプレイ部２４０は、ＴＶ２００がブートする過程でブートイメージを画面に表示する。
【００４１】
保存部２５０は録画された映像を保存する。保存部２５０は、ハードディスク、非揮発性メモリ、フラッシュメモリなどで実現することができる。
【００４２】
ＨＤＭＩインターフェース受信端子２６０は、ＨＤＭＩケーブルで接続されたＢＤプレーヤー３００から映像信号及び音声信号を受信する。ＨＤＭＩインターフェース受信端子２６０の構成については、図５を参照して詳細に後述する。
【００４３】
リモコン受信部２８０は、リモコン２９０からユーザの操作入力を受けて制御部２７０に伝送する。
【００４４】
制御部２７０は、リモコン２９０から伝達されるユーザの操作内容に基づいてユーザ命令を把握し、把握したユーザの命令に従ってＴＶ２００の全般的な動作を制御する。
【００４５】
制御部２７０は、ＨＤＭＩインターフェース受信端子２６０を介して、ＢＤプレーヤー３００からＢＤプレーヤー３００の機器情報及びＢＤプレーヤー３００の機能情報を受信する。また、制御部２７０は、ＴＶ２００の機器情報及びＴＶ２００の機能情報を、ＨＤＭＩインターフェース受信端子２６０を介して、ＢＤプレーヤー３００に送信する。
【００４６】
このとき、ＨＤＭＩインターフェースのデータチャネルは双方向通信が可能であるため、制御部２７０はＨＤＭＩインターフェース受信端子２６０のデータチャネルを介してＴＶ２００の機器情報及びＴＶ２００の機能情報を送信する。具体的に、制御部２７０は、ＨＤＭＩインターフェース受信端子２６０のＨＤＭＩインターフェースのＤＤＣ（Ｄｉｓｐｌａｙ  Ｄａｔａ  Ｃｈａｎｎｅｌ）を介してＴＶ２００の機器情報及びＴＶ２００の機能情報を送信する。
【００４７】
制御部２７０は、ＴＶ２００の機器情報をＥＤＩＤ（Ｅｎｈａｎｃｅｄ  Ｄｉｓｐｌａｙ  Ｉｄｅｎｔｉｆｉｃａｔｉｏｎ  Ｄａｔａ）のフォーマットでＢＤプレーヤー３００に送信する。そして、制御部２７０は、ＴＶ２００の機能情報をＥＤＩＤに含まれた少なくとも一つのバイト（ｂｙｔｅ）に収録する。よって、制御部２７０は、ＴＶ２００の機器情報と機能情報をＥＤＩＤフォーマットで共にＢＤプレーヤー３００に送信することになる。
【００４８】
ここで、ＴＶ２００の機器情報は、ＴＶ２００自体のシステム情報又はスペック情報を意味し、ＴＶ２００の製造社名及びモデル名などを含む情報である。たとえば、ＴＶ２００の機器情報は製造社名として「ＳＡＭＳＵＮＧ」、モデル名として「Ｌ３」を含むこともできる。
【００４９】
ＴＶ２００の機能情報は、ＴＶ２００が特定機能をサポートするか否かを示す情報を意味する。ここで、特定機能は、ＴＶ２００の映像画質モードに関連する機能又は映像ソースの種類に関連する機能などを示す。映像の画質モードに関連する機能としては、画面比率調節、明るさ調節、スケーリングに関する機能などが例として挙げられる。そして、映像ソースに関連する機能としては、映画モード、ニュースモード、ドラマモードなどの機能が例として挙げられる。
【００５０】
具体的に、ＥＤＩＤでアドレスが０ＢｈであるバイトにＴＶ２００の機能情報が収録されるように実現されてもよい。そして、アドレスが０Ｂｈであるバイトが１である場合にＴＶ２００が特定機能をサポートすることを示し、０である場合にＴＶ２００が特定機能をサポートしないことを示すことができる。
【００５１】
機能情報が含まれたＥＤＩＤフォーマットに関しては、図８及び図９を参照して詳細に後述する。
【００５２】
一方、制御部２７０は、ＨＤＭＩインターフェース受信端子２６０の映像信号チャネルを介して、ＢＤプレーヤー３００からＢＤプレーヤー３００の機器情報及びＢＤプレーヤー３００の機能情報を受信する。ここで、映像信号チャネルは、ＨＤＭＩインターフェースのＴＭＤＳ（Ｔｒａｎｓｉｔｉｏｎ  Ｍｉｎｉｍｉｚｅｄ  Ｄｉｆｆｅｒｅｎｔｉａｌ  Ｓｉｇｎａｌｉｎｇ）信号チャネルであってもよい。
【００５３】
そして、制御部２７０は、ＢＤプレーヤー３００の機器情報をＳＰＤ（Ｓｏｕｒｃｅ  Ｐｒｏｄｕｃｔ  Ｄｅｓｃｒｉｐｔｉｏｎ）  ＩｎｆｏＦｒａｍｅのフォーマットで受信する。また、ＳＰＤ  Ｉｎｆｏｆｒａｍｅに含まれた少なくとも一つのデータバイトにはＢＤプレーヤー３００の機能情報が共に収録されている。これにより、制御部２７０は、ＢＤプレーヤー３００が特定機能をサポートするか否かを判断することができるようになる。
【００５４】
ここで、ＢＤプレーヤー３００の機器情報は、ＢＤプレーヤー３００自体のシステム情報又はスペック情報を意味し、ＢＤプレーヤー３００の製造社名及びモデル名などを含む情報である。たとえば、ＢＤプレーヤー３００の機器情報は製造社名として「ＳＡＭＳＵＮＧ」、モデル名として「ＢＤ−１６００」を含むこともできる。
【００５５】
ＢＤプレーヤー３００の機能情報は、ＢＤプレーヤー３００が特定機能をサポートするか否かを示す情報を意味する。ここで、特定機能は、ＢＤプレーヤー３００の映像画質モードに関連する機能又は映像ソースの種類に関連する機能などを示す。映像の画質モードに関連する機能としては、画面比率調節、明るさ調節、スケーリングに関する機能などが例として挙げられる。そして、映像ソースに関連する機能としては、映画モード、ニュースモード、ドラマモードなどの機能を例として挙げられる。
【００５６】
具体的に、ＳＰＤ  ＩｎｆｏＦｒａｍｅで２４番目のバイトにＢＤプレーヤー３００の機能情報が収録されるように実現されてもよい。そして、２４番目のバイトが１である場合にＢＤプレーヤー３００が特定機能をサポートすることを示し、０である場合にＢＤプレーヤー３００が特定機能をサポートしないことを示すことができる。
【００５７】
機能情報が含まれたＳＰＤ  Ｉｎｆｏｆｒａｍｅフォーマットに関しては、図６及び図７を参照して詳細に後述する。
【００５８】
一方、制御部２７０は、受信されたＢＤプレーヤー３００の機能情報にＢＤプレーヤー３００が特定機能をサポートするものと収録されており、ＴＶ２００も特定機能をサポートする場合、特定機能を実行するようになる。たとえば、特定機能がワイドモード機能であり、ＴＶ２００とＢＤプレーヤー３００が共にワイドモード機能をサポートしていれば、ＴＶ２００はＢＤプレーヤー３００が接続されるときに受信されたＢＤプレーヤー３００の機能情報を確認してワイドモードを実行させるようになる。
【００５９】
このように、ＴＶ２００はＢＤプレーヤー３００から機能情報を受信することにより、ＢＤプレーヤー３００と最適な機能を実行させることができるようになる。また、ＴＶ２００はＢＤプレーヤー３００の機器情報と共に機能情報を受信するため、ＢＤプレーヤー３００の機器に応じて、それに合う機能をＴＶ２００が実行させることができるようになる。また。ＴＶ２００は自分の機器情報及び機能情報をＢＤプレーヤー３００に送信するため、ＢＤプレーヤー３００もＴＶ２００に合う特定機能を行うことができるようになる。
【００６０】
以下では、ＢＤプレーヤー３００の構造について、図３を参照して詳細に説明する。図３は、本発明の一実施形態にかかるＢＤプレーヤー３００の構造を示すブロック図である。図３に示すように、ＢＤプレーヤー３００はＨＤＭＩインターフェース送信端子３１０、制御部３２０及びＢＤプレーヤー機能部３３０を具備する。
【００６１】
ＢＤプレーヤー機能部３３０は、ＢＤプレーヤーの本然の機能を行う。たとえば、ＢＤプレーヤー機能部３３０は、挿入されたＢＤから映像信号及び音声信号を読み取って接続されたＴＶ２００に伝送する。
【００６２】
ＨＤＭＩインターフェース送信端子３１０は、ＴＶ２００とＨＤＭＩケーブルで接続される。そして、ＨＤＭＩインターフェース送信端子３１０はＢＤで読み取られた映像信号及び音声信号をＴＶ２００に送信する。ＨＤＭＩインターフェース送信端子３１０については図５を参照して詳細に後述する。
【００６３】
制御部３２０は、ＢＤプレーヤー３００の機器情報及び機能情報をＨＤＭＩインターフェース送信端子３１０の映像信号チャネルを介してＴＶ２００に送信する。そして、制御部３２０は、ＴＶ２００の機器情報及び機能情報をＨＤＭＩインターフェース送信端子３１０のデータチャネルを介してＴＶ２００から受信する。
【００６４】
ここで、映像信号チャネルはＨＤＭＩインターフェースのＴＭＤＳ信号チャネルであってもよく、データチャネルはＨＤＭＩインターフェースのＤＤＣになってもよい。また、ＢＤプレーヤー３００の機能情報は、ＢＤプレーヤー３００が特定機能をサポートするか否かに対する情報を含む。そして、ＴＶ２００の機能情報は、ＴＶ２００が特定機能をサポートするか否かに対する情報を含む。
【００６５】
制御部３２０は、ＴＶ２００の機器情報をＥＤＩＤ（Ｅｎｈａｎｃｅｄ  Ｄｉｓｐｌａｙ  Ｉｄｅｎｔｉｆｉｃａｔｉｏｎ  Ｄａｔａ）のフォーマットでＴＶ２００から受信する。ここで、ＴＶ２００の機能情報はＥＤＩＤに含まれた少なくとも一つのバイト（ｂｙｔｅ）に収録される。よって、制御部３２０は、ＴＶ２００の機器情報と機能情報をＥＤＩＤフォーマットで共にＴＶ２００から受信することになる。
【００６６】
ここで、ＴＶ２００の機器情報は、ＴＶ２００自体のシステム情報又はスペック情報を意味し、ＴＶ２００の製造社名及びモデル名などを含む情報である。たとえば、ＴＶ２００の機器情報は製造社名として「ＳＡＭＳＵＮＧ」、モデル名として「Ｌ３」を含むこともできる。
【００６７】
ＴＶ２００の機能情報は、ＴＶ２００が特定機能をサポートするか否かを示す情報を意味する。ここで、特定機能は、ＴＶ２００の映像画質モードに関連する機能又は映像ソースの種類に関連する機能などを表す。映像の画質モードに関連する機能としては、画面比率調節、明るさ調節、スケーリングに関する機能などが例として挙げられる。そして、映像ソースに関連する機能としては、映画モード、ニュースモード、ドラマモードなどの機能を例として挙げられる。
【００６８】
具体的に、ＥＤＩＤでアドレスが０ＢｈであるバイトにＴＶ２００の機能情報が収録されるように実現されてもよい。そして、アドレスが０Ｂｈであるバイトが１である場合にＴＶ２００が特定機能をサポートすることを示し、０である場合にＴＶ２００が特定機能をサポートしないことを示すことができる。
【００６９】
機能情報が含まれたＥＤＩＤフォーマットに関しては、図８及び図９を参照して詳細に後述する。
【００７０】
一方、制御部３２０は、ＨＤＭＩインターフェース送信端子３１０の映像信号チャネルを介して、ＴＶ２００にＢＤプレーヤー３００の機器情報及びＢＤプレーヤー３００の機能情報を送信する。ここで、映像信号チャネルは、ＨＤＭＩインターフェースのＴＭＤＳ（Ｔｒａｎｓｉｔｉｏｎ  Ｍｉｎｉｍｉｚｅｄ  Ｄｉｆｆｅｒｅｎｔｉａｌ  Ｓｉｇｎａｌｉｎｇ）信号チャネルであってもよい。
【００７１】
そして、制御部３２０は、ＢＤプレーヤー３００の機器情報をＳＰＤ（Ｓｏｕｒｃｅ  Ｐｒｏｄｕｃｔ  Ｄｅｓｃｒｉｐｔｉｏｎ）  ＩｎｆｏＦｒａｍｅのフォーマットで送信する。また、制御部３２０は、ＳＰＤ  Ｉｎｆｏｆｒａｍｅに含まれた少なくとも一つのデータバイトにＢＤプレーヤー３００の機能情報を収録する。よって、制御部３２０はＢＤプレーヤー３００の機器情報と共に機能情報をＴＶに送信することができるようになる。
【００７２】
ここで、ＢＤプレーヤー３００の機器情報は、 ＢＤプレーヤー３００自体のシステム情報又はスペック情報を意味し、ＢＤプレーヤー３００の製造社名及びモデル名などを含む情報である。たとえば、 ＢＤプレーヤー３００の機器情報は製造社名として「ＳＡＭＳＵＮＧ」、モデル名として「ＢＤ−１６００」を含むこともできる。
【００７３】
ＢＤプレーヤー３００の機能情報は、ＢＤプレーヤー３００が特定機能をサポートするか否かを示す情報を意味する。ここで、特定機能は、ＢＤプレーヤー３００の映像画質モードに関連する機能又は映像ソースの種類に関連する機能などを表す。映像の画質モードに関連する機能としては、画面比率調節、明るさ調節、スケーリングに関する機能などが例として挙げられる。そして、映像ソースに関連する機能としては、映画モード、ニュースモード、ドラマモードなどの機能を例として挙げられる。
【００７４】
具体的に、ＳＰＤ  ＩｎｆｏＦｒａｍｅで２４番目のバイトにＢＤプレーヤー３００の機能情報が収録されるように実現されてもよい。そして、２４番目のバイトが１である場合にＢＤプレーヤー３００が特定機能をサポートすることを示し、０である場合にＢＤプレーヤー３００が特定機能をサポートしないことを示すことができる。
【００７５】
機能情報が含まれたＳＰＤ  ＩｎｆｏＦｒａｍｅフォーマットに関しては、図６及び図７を参照して詳細に後述する。
【００７６】
一方、制御部３２０は、受信されたＴＶ２００の機能情報にＴＶ２００が特定機能をサポートするものと収録されており、ＢＤプレーヤー３００も特定機能をサポートする場合、特定機能を実行するようになる。たとえば、特定機能がワイドモード機能であり、ＴＶ２００とＢＤプレーヤー３００が共にワイドモード機能をサポートしていれば、ＢＤプレーヤー３００はＴＶ２００に接続されるときに受信されたＴＶ２００の機能情報を確認してワイドモードを実行させるようになる。
【００７７】
このように、ＢＤプレーヤー３００はＴＶ２００から機能情報を受信することにより、ＴＶ２００と最適な機能を実行させることができるようになる。また、ＢＤプレーヤー３００は、ＴＶ２００の機器情報と共に機能情報を受信するため、ＴＶ２００の機器種類に応じて、それに合う機能をＢＤプレーヤー３００が実行させることができるようになる。また。ＢＤプレーヤー３００は自分の機器情報及び機能情報をＴＶ２００に送信するため、ＴＶ２００もＢＤプレーヤー３００に合う特定機能を行うことができるようになる。
【００７８】
以下では、図４を参照してＨＤＭＩインターフェースを介して互いに接続されたＴＶ２００とＢＤプレーヤー３００の制御方法について説明する。図４は、本発明の一実施形態にかかる映像機器の制御方法を説明するために提供されるフローチャートである。
【００７９】
図４において、左側はＴＶ２００の動作に対する順序図を示し、右側はＢＤプレーヤー３００の動作に対する順序図である。
【００８０】
まず、ＴＶ２００の動作について先に説明する。ＴＶ２００はＢＤプレーヤー３００からＨＤＭＩインターフェースの映像信号チャネルを介して、ＢＤプレーヤー３００の機器情報及び機能情報を受信する（Ｓ４２０）。ここで、映像信号チャネルはＨＤＭＩ規格のＴＭＤＳ信号チャネルであり、ＢＤプレーヤー３００の機器情報及び機能情報はＳＰＤ  ＩｎｆｏＦｒａｍｅのフォーマットで受信される。
【００８１】
その後、ＴＶ２００はＨＤＭＩインターフェースのデータチャネルを介して、ＴＶ２００の機器情報及び機能情報をＢＤプレーヤー３００に送信する（Ｓ４３０）。ここで、データチャネルはＨＤＭＩ規格のＤＤＣであり、ＴＶ２００の機器情報及び機能情報はＥＤＩＤフォーマットで送信される。
【００８２】
次いで、ＴＶ２００は特定機能をサポートするか否かを判断する（Ｓ４５０）。ＴＶ２００が特定機能をサポートすると（Ｓ４５０−Ｙ）、ＴＶ２００は受信されたＳＰＤ  ＩｎｆｏＦｒａｍｅでＢＤプレーヤー３００の機能情報に該当する特定バイトを読み取る（Ｓ４５３）。そして、ＢＤプレーヤー３００の機能情報にＢＤプレーヤー３００が特定機能をサポートすると収録されていると（Ｓ４５６−Ｙ）、ＴＶ２００は特定機能を行うことになる（Ｓ４５９）。
【００８３】
以下では、ＢＤプレーヤー３００の動作を説明する。まず、ＢＤプレーヤー３００はＨＤＭＩインターフェースの映像信号チャネルを介して、ＢＤプレーヤー３００の機器情報及び機能情報をＴＶ２００に送信する（Ｓ４１０）。ここで、映像信号チャネルはＨＤＭＩ規格のＴＭＤＳ信号チャネルであり、ＢＤプレーヤー３００の機器情報及び機能情報はＳＰＤ  ＩｎｆｏＦｒａｍｅのフォーマットで送信される。
【００８４】
そして、ＢＤプレーヤー３００はＨＤＭＩインターフェースのデータチャネルを介して、ＴＶ２００の機器情報及び機能情報をＴＶ２００から受信する（Ｓ４４０）。ここで、データチャネルはＨＤＭＩ規格のＤＤＣであり、ＴＶ２００の機器情報及び機能情報はＥＤＩＤフォーマットで受信される。
【００８５】
次いで、ＢＤプレーヤー３００は特定機能をサポートするか否かを判断する（Ｓ４６０）。ＢＤプレーヤー３００が特定機能をサポートすると（Ｓ４６０−Ｙ）、ＢＤプレーヤー３００は受信されたＥＤＩＤでＴＶ２００の機能情報に該当する特定バイトを読み取る（Ｓ４６３）。そして、ＴＶ２００の機能情報にＴＶ２００が特定機能をサポートすると収録されていると（Ｓ４６６−Ｙ）、 ＢＤプレーヤー３００は特定機能を行うことになる（Ｓ４６９）。
【００８６】
このような過程を通して、ＴＶ２００とＢＤプレーヤー３００は、相互間で一致する特定機能をサポートするか否かを確認することができるようになるため、ＴＶ２００とＢＤプレーヤー３００は最適の効果を出すことができる機能を共に行うことができるようになる。
【００８７】
以下では、図５を参照してＨＤＭＩインターフェースのチャネルについて説明する。図５は、本発明の一実施形態にかかるＨＤＭＩインターフェースのチャネルを詳細に示す図である。
【００８８】
ＨＤＭＩインターフェース送信端子３１０とＨＤＭＩインターフェース受信端子２６０とは、ＨＤＭＩケーブルを介して互いに接続されて通信するようになる。図５に示すように、ＨＤＭＩインターフェースは、ＴＭＤＳ信号チャネル、ＤＤＣ、ＣＥＣ（Ｃｏｎｓｕｍｅｒ  Ｅｌｅｃｔｒｏｎｉｃｓ  Ｃｏｎｔｒｏｌ）チャネル、ＨＰＤ（Ｈｏｔ  Ｐｌｕｇ  Ｄｅｔｅｃｔ）チャネル及びＰｏｗｅｒチャネルを含む。
【００８９】
ＴＭＤＳ（Ｔｒａｎｓｉｔｉｏｎ  Ｍｉｎｉｍｉｚｅｄ  Ｄｉｆｆｅｒｅｎｔｉａｌ  Ｓｉｇｎａｌｉｎｇ）信号チャネルは、ビデオ信号、オーディオ信号及びＩｎｆｏＦｒａｍｅを、ＨＤＭＩインターフェース送信端子３１０からＨＤＭＩインターフェース受信端子２６０に伝送する。そして、ＩｎｆｏＦｒａｍｅは、ＨＤＭＩインターフェース送信端子３１０を備えた機器（すなわち、ＢＤプレーヤー３００）の機器情報及び機能情報を具備する。
【００９０】
ＤＤＣ（Ｄｉｓｐｌａｙ  Ｄａｔａ  Ｃｈａｎｎｅｌ）は、暗号化に関するデータ及びＥＤＩＤ（Ｅｎｈａｎｃｅｄ  Ｄｉｓｐｌａｙ  Ｉｄｅｎｔｉｆｉｃａｔｉｏｎ）が伝送されるチャネルである。
【００９１】
ＣＥＣチャネルは、接続された機器を制御するための制御信号が伝送されるチャネルである。ＨＰＤチャネルは、ホットプラグ（Ｈｏｔ  Ｐｌｕｇ）を検知するチャネルに該当する。そして、Ｐｏｗｅｒチャネルは、電源が供給されるチャネルに該当する。ＨＤＭＩチャネルのうち、ＴＭＤＳ信号チャネルは単方向通信チャネルであり、ＤＤＣ、ＣＥＣ、ＨＰＤチャネルは双方向通信チャネルに該当する。
【００９２】
このように、ＨＤＭＩインターフェースのチャネルのうち、ＴＭＤＳ信号チャネルを用いてＢＤプレーヤー３００の機器情報および機能情報をＴＶ２００に伝送し、ＤＤＣを用いてＴＶ２００の機器情報及び機能情報をＢＤプレーヤー３００に伝送するようになる。
【００９３】
以下では、図６及び図７を参照してＳＰＤ  ＩｎｆｏＦｒａｍｅの規格及び機能情報が収録されるバイトの位置について説明する。図６は、本発明の一実施形態にかかるＳＰＤ  ＩｎｆｏＦｒａｍｅのデータバイトに対応する情報を詳細に示すテーブルである。
【００９４】
図６に示すように、ＳＰＤ  ＩｎｆｏＦｒａｍｅは総２５個のバイトで構成され、ベンダー名、モデル名及び機器の製品群が収録されることを確認することができる。また、２４番目のデータバイトには機能情報が収録されることを確認することができる。
【００９５】
図７は、本発明の一実施形態にかかるＢＤプレーヤーの機能情報が収録されたＳＰＤ  ＩｎｆｏＦｒａｍｅの例を示す図である。
【００９６】
図７に示すように、ＳＰＤ  ＩｎｆｏＦｒａｍｅには製造社名（すなわち、ベンダー名）として「ＳＡＭＳＵＮＧ」が収録されており、モデル名として「ＢＤ−Ｐ１６００」が収録されていることが確認できる。また、製品群は「０Ａｈ」であるため図６のテーブルを参考すると、「Ｂｌｕ−Ｒａｙ  Ｄｉｓｃ（ＢＤ）」であることが分る。そして、２４番目バイト７００は機能情報を示すことを確認することができる。２４番目バイト７００は０又は１になることができ、０は特定機能をサポートしないことを、１は特定機能をサポートすることを示す。
【００９７】
しかし、０と１を利用する方法以外にも、他の値を利用して特定機能をサポートするか否かを示すことができることは勿論のことである。また、特定機能をサポートするか否かの以外に、多様な機能に対応する値のうちのいずれの値が機能情報を示すバイトに収録されても良いことは言うまでもない。また、２４番目バイト７００の以外にも他のバイトに機能情報が収録されても良いことは言うまでもない。
【００９８】
このように、ＳＰＤ  ＩｎｆｏＦｒａｍｅを用いて、ＢＤプレーヤー３００の機器情報及び機能情報を収録することができる。
【００９９】
以下では、図８及び図９を用いてＥＤＩＤの規格及び機能情報が収録されるバイトの位置について説明する。図８は、本発明の一実施形態にかかるＥＤＩＤのバイトに対応する情報を詳細に示すテーブルである。
【０１００】
図８に示すように、ＥＤＩＤはアドレスが０８ｈの２つのバイトに製造社名が収録され、アドレスが０Ａｈの２つのバイトにモデル名が収録されることを確認することができる。すなわち、モデル名が収録されるバイトのアドレスは０Ａｈと０Ｂｈになる。ここで、アドレスが０ＢｈのバイトにＴＶ２００の機能情報が収録されるように実現することができる。これについて図９を参照して説明する。
【０１０１】
図９は、本発明の一実施形態にかかるＴＶの機能情報が収録されたＥＤＩＤの一例を示す図である。
【０１０２】
図９に示すように、モデル名を示すＩＤ  Ｐｒｏｄｕｃｔ  ＣｏｄｅのデータバイトＡ（すなわち、アドレス０Ａｈ）に「Ｌ３」というモデル名が収録されていることを確認することができる。そして、データバイトＢ９００（すなわち、アドレス０Ｂｈ）にＴＶ２００の機能情報として０又は１が収録されていることを確認することができる。ここで、データバイトＢ９００が０である場合にＴＶ２００が特定機能をサポートしないことを示し、１である場合にＴＶ２００が特定機能をサポートすることを示す。
【０１０３】
しかし、０と１を利用する方法以外にも、他の値を利用して特定機能をサポートするか否かを示すことができることは勿論のことである。また、特定機能をサポートするか否かの以外に、多様な機能に対応する値のうちのいずれの値が機能情報を示すバイトに収録されても良いことは言うまでもない。また、データバイトＢ９００の以外にも、他のバイトに機能情報が収録されても良いことは言うまでもない。
【０１０４】
このように、ＥＤＩＤを用いて、ＴＶ２００の機器情報及び機能情報を収録することができる。
【０１０５】
以下では、ＴＶ２００とＢＤプレーヤー３００が共にサポートする特定機能の一例について説明する。ＴＶ２００とＢＤプレーヤー３００は、ＢＤ  Ｗｉｓｅ画質モードという機能を特定機能としてサポートすることもできる。ここで、ＢＤＷｉｓｅ画質モードは、ＢＤプレーヤー３００がＴＶ２００に原本映像データをそのまま送信し、ＴＶ２００が受信した映像の画質に対する映像処理を行うモードを意味する。
【０１０６】
従って、ＢＤプレーヤー３００がＢＤ  Ｗｉｓｅ画質モードに設定された場合、ＢＤプレーヤー３００はＴＶ２００において映像の画質モードが調整されるように、映像の画質モードが調整されていない映像データをＴＶ２００に送信するようになる。そして、ＴＶ２００がＢＤ  Ｗｉｓｅ画質モードに設定された場合、ＴＶ２００はＢＤプレーヤー３００から映像の画質モードが調整されていないデータを受信し、ＴＶ２００において映像の画質モードを調整するようになる。ここで、映像の画質モードを調整することは映像処理過程を意味する。たとえば、画質モード調整は、映像のＤｅｉｎｔｅｒｌａｃｉｎｇ、Ｕｐｓｃａｌｉｎｇ、Ｂａｃｋｌｉｇｈｔ  ａｄｊｕｓｔｍｅｎｔ、  Ｃｏｎｔｒａｓｔ、  Ｈｕｅ、  Ｓａｔｕｒａｔｉｏｎ、Ｎｏｉｓｅ  ｒｅｄｕｃｔｉｏｎ、Ｃａｄｅｎｃｅ  ｄｅｔｅｃｔｉｏｎ、Ｗｈｉｔｅ  Ｂａｌａｎｃｅ、Ｒｅｓｏｌｕｔｉｏｎ、Ｂｒｉｇｈｔｎｅｓｓなどを処理することを含む。
【０１０７】
ＢＤプレーヤー３００に装着されたビデオ処理装置は、ＴＶ２００のＡ/Ｖ処理部２２０より性能が低い場合がある。このような場合、ＢＤプレーヤー３００とＴＶ２００がＢＤ  Ｗｉｓｅ画質モード機能を実行すると、性能の良いＴＶ２００のＡ/Ｖ処理部２２０が映像データを処理するようになるため、ユーザはより良い画質の映像を視聴することができるようになる。
【０１０８】
ＴＶ２００とＢＤプレーヤー３００は上述した図４の過程を通して互いにＢＤ  ｗｉｓｅ画質モードの機能をサポートするか否かを判断することができる。そして、ＴＶ２００とＢＤプレーヤー３００がすべてＢＤ  ｗｉｓｅ画質モードをサポートする場合、ＴＶ２００とＢＤプレーヤー３００はＢＤ  ｗｉｓｅ画質モードを実行させるようになる。これにより、ＴＶ２００とＢＤプレーヤー３００は自動でより良い画質の映像を提供するようになる。
【０１０９】
なお、ＴＶ２００とＢＤプレーヤー３００はＢＤ  ｗｉｓｅ画質モードをサポートしていても、その機能がオンであるかオフであるかに応じて、ＢＤ  ｗｉｓｅ画質モードを実行させるか否かを決定することもできる。
【０１１０】
これについて、図１０を参照して説明する。図１０は、本発明の一実施形態にかかるＴＶ２００とＢＤプレーヤー３００のＢＤ  ｗｉｓｅ画質モードがオン状態であるかオフ状態であるかに応じてＢＤ  ｗｉｓｅ画質モードを実行させるか否かを整理したテーブルである。
【０１１１】
図１０の示すように、ＢＤプレーヤー３００のＢＤ  ｗｉｓｅ画質モードがオン状態であるとき、ＢＤプレーヤー３００とＴＶ２００はすべてＢＤ  ｗｉｓｅ画質モードを実行するようになる。一方、ＢＤプレーヤー３００のＢＤ  ｗｉｓｅ画質モードがオフ状態であるとき、ＢＤプレーヤー３００はＢＤ  ｗｉｓｅ画質モードを実行せずＴＶ２００は自分のＢＤ  ｗｉｓｅ画質モードがオン状態であるのみＢＤ  ｗｉｓｅ画質モードを実行するようになる。
【０１１２】
このように、ＴＶ２００とＢＤプレーヤー３００は多様な方式でＢＤ  ｗｉｓｅ画質モードを実行することができ、これにより、ユーザは最適の画質に処理された映像を視聴することができるようになる。また、ＴＶ２００とＢＤプレーヤー３００はＢＤ  ｗｉｓｅ画質モードを互いにサポートするか否かを自動で確認するため、ユーザが別途の操作をしなくても、ＴＶ２００とＢＤプレーヤー３００はＢＤ  ｗｉｓｅ画質モードを適切に実行させることができるようになる。
【０１１３】
本実施形態において、映像機器がＴＶ２００であると説明したが、ＨＤＭＩインターフェースの受信端に該当するいずれの映像装置でも適用できることは言うまでもない。たとえば、モニタ、ノートＰＣにも適用できることは勿論である。そして、映像機器情報は該当する映像機器の機器情報を示す。そして、映像機器機能情報は該当する映像機器の機能情報を意味する。
【０１１４】
また、本実施形態において、映像機器に接続される外部機器はＢＤプレーヤー３００であると説明したが、その以外に他のＡＶ機器が接続され得ることは勿論のことである。たとえば、映像機器に接続される機器はＢＤプレーヤー３００の以外にセットトップボックス、ＤＶＤプレーヤー、ビデオプレーヤーなどが接続され得ることは勿論のことである。そして、外部機器情報は映像機器に接続された機器の機器情報を示す。そして、外部機器機能情報は映像機器に接続された機器の機能情報を意味する。
【０１１５】
図１１は、本発明の他の実施形態にかかる映像システムを示す図である。
【０１１６】
図１１に示すように、映像システムはＴＶ２００、第１データ保存及び再生装置１１１０ａ（たとえば、図１のＢｌｕｅ−ｒａｙ  Ｄｉｓｋ（ＢＤ）プレーヤー３００）、及び第２データ保存及び再生装置１１１０ｂ（たとえば、図１の別のＢＤプレーヤー３００又はデータプレーヤー）を具備する。本実施形態によると、ＴＶ２００はインターフェースを用いて対応するデータ保存及び再生装置１１１０ａ、１１１０ｂから受信された信号（データ）に従って映像及び音声を生成するために、第１データ保存及び再生装置１１１０ａ及び第２データ保存及び再生装置１１１０ｂのうち少なくとも一つを選択することもできる。
【０１１７】
一方、本発明の一実施形態は、コンピュータで読み取り可能な媒体上のコンピュータで読み取り可能なコードによって実施できることは勿論である。コンピュータで読み取り可能な媒体は、コンピュータで読み取り可能な記録媒体とコンピュータで読み取り可能な伝送媒体を含む。コンピュータで読み取り可能な記録媒体は、コンピュータシステムによって読み取られるデータ保存装置である。たとえば、コンピュータで読み取り可能な記録媒体は、Ｒｅａｄ−Ｏｎｌｙ  Ｍｅｍｏｒｙ（ＲＯＭ）、Ｒａｎｄｏｍ−Ａｃｃｅｓｓ  Ｍｅｍｏｒｙ（ＲＡＭ）、ＣＤ−ＲＯＭ、磁気テープ、プロピーディスク及び光データ保存装置を含む。コンピュータで読み取り可能なコードが分散形態で保存され実行されるように、コンピュータで読み取り可能な記録媒体はネットワーク上で接続されたコンピュータシステムに分散されていてもよい。コンピュータで読み取り可能な伝送媒体は、搬送波（ｃａｒｒｉｅｒ  ｗａｖｅ）又は信号（たとえば、インターネットを介した有線又は無線データ送信）を含む。
【０１１８】
以上、添付図面を参照しながら本発明の好適な実施形態について詳細に説明したが、本発明はかかる例に限定されない。本発明の属する技術の分野における通常の知識を有する者であれば、特許請求の範囲に記載された技術的思想の範疇内において、各種の変更例又は修正例に想到し得ることは明らかであり、これらについても、当然に本発明の技術的範囲に属するものと了解される。
【符号の説明】
【０１１９】
２００・・・ＴＶ
２１０・・・放送受信部
２２０・・・Ａ/Ｖ処理部
２３０・・・音声出力部
２４０・・・ディスプレイ部
２５０・・・保存部
２６０・・・ＨＤＭＩインターフェース受信端子
２７０・・・制御部
２８０・・・リモコン受信部
２９０・・・リモコン
３００・・・ＢＤプレーヤー
３１０・・・ＨＤＭＩインターフェース送信端子
３２０・・・制御部
３３０・・・ＢＤプレーヤー機能部
【図１】
2010114895.tif 000003
【図２】
2010114895.tif 000004
【図３】
2010114895.tif 000005
【図４】
2010114895.tif 000006
【図５】
2010114895.tif 000007
【図６】
2010114895.tif 000008
【図７】
2010114895.tif 000009
【図８】
2010114895.tif 000010
【図９】
2010114895.tif 000011
【図１０】
2010114895.tif 000012
【図１１】
2010114895.tif 000013